(57)【特許請求の範囲】
【請求項１】
立上り壁のコーナー部の下部に切欠き部を設けると共に、コーナー部の周辺に下方へ突出するガイド脚を備えた外枠と、上記立上り壁の外面に当接状に配備されるプレート本体の上辺に上記立上り壁のつば板に対し下方へ所定間隔開く平行な庇板を突設し、プレート本体の面内の窓孔に上記切欠き部に対応して突き刺し針を備えたバネ板を内向きに配備し、前記外枠を下方へ押し込むことにより、立上り壁がバネ板を外方向へ押圧し、突き刺し針が窓孔から外方へ突出して床下地材に突き刺さることで固定すると共に、プレート本体の下端部に上記ガイド脚を下方へ移動可能に挟むクリップを備えたコーナー固着プレートとから成る点検口の外枠固定装置。
【請求項２】
前記立上り壁のコーナー部には、下方へ突出するＨ字形ストッパを突設し、前記プレート本体のコーナー部下部にＨ字形ストッパに対応する切面状板部を設け、この切面状板部の爪部をＨ字形ストッパに係脱するようにしたことを特徴とする請求項１記載の点検口の外枠固定装置。
【請求項３】
前記クリップは、プレート本体の下端部に連続し、内向きに折り曲げた折り曲げ部と、折り曲げ部の先端を内向きに屈曲させたバネ部を設け、上記ガイド脚の下端と折り曲げ部の底部とに所定の間隔を保持してガイド脚を挟着したことを特徴とする請求項１記載の点検口の外枠固定装置。
【請求項４】
前記クリップの折り曲げ部の底部に開口部を設け、上記ガイド脚をこの開口部に対し挿通可能としたことを特徴とする請求項１記載の点検口の外枠固定装置。
【発明の詳細な説明】
【技術分野】
【０００１】
この発明は、例えば床下点検口や天井点検口などの点検口の外枠固定装置に関する。
【背景技術】
【０００２】
図８は、従来の床下点検口の外枠を床開口６４の縁部に固定する状態を示す断面図である。この床下点検口の外枠５は、立上り壁５１と、立上り壁５１の上端を外向きに折り曲げた水平状枠縁５２と、立上り壁５１の下端に連続し、内向きに突出するハコ状受け部５３とから成る。
【０００３】
この外枠５を固定する床面（根太６１と床補強材６２と床材６３とで構成される）６の適所に点検用の開口が開設され、この床開口６４に上記外枠５を嵌入れる。水平状枠縁５２が床面６上に載置された状態で、立上り壁５１が床開口６４周縁に隙間を介してほぼ接面状に対応する。
【０００４】
ここで、立上り壁５１面内のビス孔５１а側から床材６３に対し、ビス５１  ｂを打ち込み、床面６に対し外枠５を額縁状に固定する。一方、床開口に際し切り出した床材を方形状の蓋板６５とし、蓋板６５の外周に断面略「コ」の字状の内枠６６を固着して、内枠６６の底面をハコ状受け部５３の上面で支承する。
【特許文献１】特開２００３−１２００１４公報
【発明の開示】
【発明が解決しようとする課題】
【０００５】
従来の床下点検口の外枠では、立上り壁から床端面に対しビス打ちする。このビスを締付けすぎると、床端面と外枠との間の適正な隙間がなくなり、外枠が変形する不利がある。
【０００６】
逆に、ビスの締付け強度が十分でないと、ハコ状受け部の下方に支えがないことと相俟って、蓋板にかかる負荷は水平状枠縁の設置面でのみ支承する結果となる。このため、図８の矢印で示すように、水平状枠縁の設置面が支点となって、外枠は矢印Ｃ方向へ変形する。
【０００７】
仮に、外枠のハコ状受け部を支える受け桟（図８の仮想線で示す）６７を施工した場合は、外枠の矢印Ｃ方向への変形は解消し得る反面、床面開口寸法及び受け桟の高さ寸法を精確にしなければならず、煩瑣で且つ熟錬を要する等の不利があった。
【０００８】
この発明は、以上のような課題を解消させ、煩瑣な受け桟の取付けが不要で、
且つ外枠を床端面に対し強固に取り付けし得、しかも熟練を要さず何人でもワン
タッチ操作で簡易迅速、且つ正確に取付けし得る点検口の外枠固定装置を提供す
ることを目的とする。
【課題を解決するための手段】
【０００９】
この目的を達成させるために、この発明の点検口の外枠固定装置では、次のような構成としている。
点検口の外枠固定装置は、立上り壁のコーナー部の下部に切欠き部を設けると共に、コーナー部の周辺に下方へ突出するガイド脚を備えた外枠と、上記立上り壁の外面に当接状に配備されるプレート本体の上辺に、上記立上り壁のつば板に対し下方へ所定距離開く平行な庇板を突設すると共に、プレート本体の面内の窓孔に上記切欠き部に対応して突き刺し針を備えたバネ板を内向き配備し、プレート本体の下端部に上記ガイド脚を下方へ移動可能に挟むクリップを備えたコーナー固着プレートとから成ることを特徴とする。
【発明の効果】
【００１０】
このような構成を有する点検口の外枠固定装置では、外枠（隣り合う立上り壁）のコーナー部にコーナー固着プレートを配備し、このコーナー固着プレートの庇板を床開口の縁上面に載置し、外枠をコーナー固着プレート介して床面に対し浮き上がり状に配備することとしたから、外枠を単に押し下げるだけのワンタッチ操作で突き刺し針が床開口の床下地材を突き刺し、コーナー固着プレートと一体の外枠が安全確実容易に取り付けられる。
【００１１】
しかも、外枠の固定に際し、外枠がコーナー固着プレートに対し単に下方へ摺動するだけであるから、立上り壁と床材（床開口）端面との適正な隙間も確保でき、外枠が撓む等の変形を生じない。従って、取付け固定に熟練や専門性を必要とせず、誰でも簡単且つ強固に取付け得、受け桟などの煩瑣な施工作業も解消し得る。
【００１２】
更に、外枠を押し下げることで、外枠のＨ字型ストッパの上開口にコーナー固着プレートの爪部が係着して、コーナー固着プレートにクリップされる外枠との一体結合が一層強固となり、外枠はコーナー固着プレートを介して床開口に確実強固に固定される等、発明目的を達成した優れた効果を有する。
【発明を実施するための最良の形態】
【００１３】
以下、図面に基づき本発明に係る点検口の外枠固定装置の具体的な実施の形態を説明する。
図１は、床下点検口の外枠固定装置を示す斜視図である。
床下点検口の外枠固定装置は、床開口３に取付られる外枠１と、外枠１のコーナーに配備されるコーナー固着プレート板２とから成る。
【００１４】
外枠１は、図１で示すように、立上り壁１１と立上り壁３１の上端を外向きに突出した水平状のつば板１２と、立上り壁1 １の内面に高さ中央で内向きに突出する水平状の蓋板支承板１３とからなる方形状枠体に形成される。
【００１５】
隣り合う立上り壁１１のコーナー部１１ａには、蓋板支承板１３より下部を切り欠いて切欠き部１１Ａを開口すると共に、コーナー部１１ａの周辺１１ｂには立上り壁１１の下辺から一定長さの平板状のガイド脚１１Ｂを下方へ突設している。
【００１６】
更に、外枠１のコーナー部、つまり蓋板支承板１３のコーナー１３Ａの裏面には、コーナーに対し４５度の切面状にＨ字形ストッパ１４が下方へ突設してある。Ｈ字形ストッパ１４は、平行する２本の細幅縦バー１４ｄと、長さ中央を連結する水平バー１４ａとからなり、水平バー１４ａの上・下方をそれぞれ爪係止用の上開口１４ｂ、下開口１４ｃに設定している。
【００１７】
図２は、上記コーナー固着プレート２を示す斜視図である。
コーナー固着プレート２は、外枠１のコーナー外面に接面状に配備される。
コーナー固着プレート２は、Ｌ字状のプレート本体２１と、プレート本体２１の上辺に配備される庇板２２と、プレート本体２１の面内に設けた窓孔２３と、バネ板２４と、プレート本体２１の窓孔２３下部に配備された切面状板部２５と、クリップ２６とから成る。
【００１８】
プレート本体２１は、２枚の方形状平板２１ａ、２１ａを９０度角に折り曲げてＬ字状に形成してある。この平板２１ａの上辺に外方向へ水平状に突出する庇板２２を突設している。
【００１９】
上記窓孔２３は、平板２１ａの面内に階段状の角形孔に形成してある。両平板２１ａの角孔は下部で連通している。更に、この窓孔２３には、後述する突き刺し針２４ａを備えたバネ板２４を配備している。
【００２０】
このバネ板２４は、短冊状の板で窓孔（角形孔の上段孔）２３内に、平板２１ａから切り起こし状に形成してある。バネ板２４の基端は、平板２１ａに連続し且つ内向き傾斜状に折り曲げて、上記立上り壁１１のコーナー部１１ａ下部の切欠き部１１Ａに対応している。
【００２１】
このバネ板２４の先端の一辺には、先端が尖った突起状の突き刺し針２４ａが外方向へ突設してある。上記立上り壁１１がコ−ナ−固着プレート２に対し摺動状に降下することで、このバネ板（突き刺し針２４ａ）が押圧されて窓孔２３から外方へ突出する（図３参照）。
【００２２】
上記クリップ２６は、平板２１ａの下端部に連続し、内向きに折り曲げた折り曲げ部２６ａと、この折り曲げ部２６ａの先端部を外向きに湾曲させたバネ部２６ｃと、折り曲げ部２６ａの中央底部に設けた開口部２６ｂとから成る。
【００２３】
このクリップ２６が、常態において上記立上り壁１１から突設するガイド脚１１Ｂを鋏着する。常態において、ガイド脚１１Ｂの下端と折り曲げ部２６ａの底部とは所定の間隔が開いた状態で、クリップ２６が脚１１Ｂに取り付いている。
つまり、コーナー固着プレート２は、庇板２２が立上り壁１１の鍔板１２に対し下方へ所定間隔開いた状態で取付けられる。
【００２４】
更に、この状態において、上記ガイド脚１１Ｂはクリップ２６の折り曲げ部２６の開口部２６ｂの上方に対応位置し、ガイド脚１１Ｂが開口部２６を挿通可能としてコーナー固着プレート２に対し外枠１が降下動可能に設定してある。
【００２５】
前記切面状板部２５は、プレート本体２１のコーナー部２１ｂの下部（窓孔２３の下部）を４５度に折り曲げて切面状とし、先端は窓孔２３に連通するスリット２５ａを介して突合せ状としている。
【００２６】
更に、切面状板部２５の突合せ側（スリット２５ａ側）に切り目線２５ｃを介して内向きに折り曲げた爪部２５ｂを設けている。この爪部２５ｂは、上記外枠１のＨ字形ストッパ１４に対応位置している。
【００２７】
このような構成を有する床下点検口の外枠固定装置では、外枠１の４隅にコーナー固着プレート２が取付けてある。外枠１を床開口３に取付け際はコーナー固着プレート２と一体の外枠１を、床開口３に対し上方から宛がう。
【００２８】
図４及び図５は、外枠１を床開口３に嵌入した状態の外枠とコーナー固着プレート２との関係を示す要部説明図である。
図４は、外枠１のコーナー周辺１１ｂを示す説明図である。床開口３に嵌入した外枠１は、コーナー固着プレート２の庇板２２が床面（床仕上げ材３１）の上面に乗っかって、床上面より浮き上がり状に遊離している。
【００２９】
この状態において、バネ板２４は切欠き部１１Ａ（窓孔２３内方向）に位置し（図１参照）、且つバネ板の突き刺し針２４ａは、床端面（床下地材３２端面）に一定距離開いて対応位置している。
【００３０】
更に、図５で示すように、切面状板部２５の爪部２５ｂはＨ字形ストッパ１４の下開口１４ｃ（水平バー１４ａの下方）に係止している。上記クリップ２６と共に、爪部２５ｂは立上り壁１１の上方への移動阻止を図っている。
【００３１】
この状態から、図６で示すように、外枠１を押し込むと、外側のコーナー固着プレート２に対し摺動状に降下する。つまり、クリップ２６の鋏圧に抗してガイド脚１１Ｂが開口部２６ｂより下方へ挿通移動し、つば板１２が庇板２２に重合して下降は停止する。
【００３２】
更に、この下降途中において、立上り壁（切欠き部１１Ａ上部）１１がバネ板２４を外方向へ強力に押圧し、突き刺し針２４ａが床下地材３２に突き刺し状に固定する。
【００３３】
同時に、図７で示すようにＨ字形ストッパ１４も降下する。このとき、爪部２５ｂは、圧を受けて外開きに傾動して水平バー１４ａを乗り越え、水平バー１４ａの上端で復帰する。つまり、爪部２５ｂは上開口１４ｂへ移動し水平バー１４ｃの上端に係止し、外枠１の上動を強固に阻止する。
【図面の簡単な説明】
【００３４】
【図１】実施の形態の点検口の外枠固定装置を示す斜視図である。
【図２】実施の形態のコーナー固着プレートを示す斜視図である。
【図３】コーナー固着プレートに対し外枠を押し下げた状態を示す斜視図である。
【図４】実施の形態の点検口の外枠固定装置を床開口に嵌め入れた状態を示す要部説明図である。
【図５】外枠とコーナー固着プレートとのコーナー部の関係を示す要部説明図である。
【図６】外枠を押し下げた状態を示す要部説明図である。
【図７】外枠を押し下げた状態の外枠コーナー部を示す要部説明図である。
【図８】従来の点検口の外枠固定装置を示す断面図である。
【符号の説明】
【００３５】
１      外枠
２      コ−ナ−固着プレート
３      床開口
１１    立上り壁
１２    つば板  
１３    蓋板支承板
１４    Ｈ字形ストッパ
１１ａ  コーナー部
１１ｂ  コーナー周辺
１１Ａ  切欠き部
１１Ｂ  ガイド脚  
１４ｂ  上開口
１４ｃ  下開口
２１    プレート本体
２２    庇板
２３    窓孔
２４    バネ板
２５    切面状板部
２５ａ  爪部
２６    クリップ
２６ｂ  開口部
【図１】
0005751705.tif 000002
【図２】
0005751705.tif 000003
【図３】
0005751705.tif 000004
【図４】
0005751705.tif 000005
【図５】
0005751705.tif 000006
【図６】
0005751705.tif 000007
【図７】
0005751705.tif 000008
【図８】
0005751705.tif 000009